(57)【特許請求の範囲】
【請求項１】
人体の血圧測定部位に装着されて使用される血圧計であり、電池を電源としているとともに電池として蓄電池を用いており、ポンプ電圧が所定電圧よりも低下する時間が所定時間以上となる時に表示される蓄電池用の充電催促表示部を備えていることを特徴とする血圧計。
【請求項２】
蓄電池がニッケルカドミウム電池であることを特徴とする請求項１記載の血圧計。
【請求項３】
血圧測定結果の表示部に蓄電池用の充電催促表示部を備えていることを特徴とする請求項１又は２記載の血圧計。
【請求項４】
蓄電池はケースに納められた蓄電池パックとして設けられているとともに、該蓄電池パックはケースと一体に形成されるとともにケースに加えられる操作で撓んで係止を外すフックによって血圧計本体に着脱自在とされていることを特徴とする請求項１または２記載の血圧計。
【発明の詳細な説明】
【０００１】
【発明の属する技術分野】
本発明は血圧計、殊に電池を電源としている血圧計に関するものである。
【０００２】
【従来の技術】
電池を電源としている血圧計は各種提供されているが、従来の血圧計はいずれも電池として乾電池を用いるものであった。
【０００３】
【発明が解決しようとする課題】
この場合、多数回の血圧測定を可能とするために、どうしても乾電池として電源容量の大きいものを用いることになるために、血圧計も大きくなってしまうものであり、携帯性が悪い上に、腕や手首といった血圧測定部位に装着されて使用されるカフ帯と本体とが一体型のものにおいてはその使い勝手も悪くなっている。
【０００４】
また、予備の乾電池を常時用意しておかなくては、日々の血圧管理に支障をきたすことがある。
本発明はこのような点に鑑み為されたものであり、その目的とするところは小型化を図ることができる上に日々の血圧管理を確実に行える血圧計を提供するにある。
【０００５】
【課題を解決するための手段】
しかして本発明は、人体の血圧測定部位に装着されて使用される血圧計であり、電池を電源としているとともに電池として蓄電池を用いていることに特徴を有している。充電によって電池容量を回復させることができるために、電池として大容量のものを用いなくてもすむために、小型の電池を使用することができ、これに伴って全体の小型化を図ることができるものである。そして、蓄電池用の充電催促表示部を備えていることが蓄電池管理の点で好ましく、この時の充電催促表示部はポンプ電圧が所定電圧よりも低下する時間が所定時間以上となる時に表示されるものであると、蓄電池管理をさらに適切に行うことができる。
【０００６】
蓄電池としてはニッケルカドミウム電池を好適に用いることができるが、これに限るものではない。
また、血圧測定結果の表示部に蓄電池用の充電催促表示部を備えていることが好ましい。
【０００７】
また、蓄電池はケースに納められた蓄電池パックとして設けられているとともに、該蓄電池パックはケースと一体に形成されるとともにケースに加えられる操作で撓んで係止を外すフックによって血圧計本体に着脱自在とされていると、蓄電池の着脱を簡便に行うことができる。
【０００８】
【発明の実施の形態】
本発明の実施の形態の一例について説明すると、図１に示す血圧計も手首に装着されて手首で血圧の測定を行うもので、手首に装着されるカフ帯２と、このカフ帯２の外面に固定された本体１とからなり、一側部に蓄電池パック５が着脱自在に装着された本体１は、その内部に図２に示すように、ポンプ１１や急速排気弁１２、定速排気弁１３、圧力センサー１４等を内蔵しており、表面には液晶ディスプレーからなる表示部３が設けられている。また、本体１の側面には血圧測定動作のスタート及び電源オフのための操作スイッチ４は本体１の側面に配設されている。なお、押釦型の操作スイッチ４のスイッチ本体４０は本体１内に納められている基板に実装されている。図中１５は蓄電池パック５との接続用の端子部、１６，１７はカフ帯２との間の空気配管部である。
【０００９】
本体１の一側部に配された蓄電池パック５は、図３に示すように、ニッカド電池である蓄電池５０をケース５１に納めたものとして形成されているとともに、ケース５１の上半分は本体１の外面を構成するものともなっており、長手方向両端の摘み部５５を押さえ込めば内側に撓むフック５２，５２を備えて、該フック５２によって本体１に対して着脱自在に取り付けられている。
【００１０】
そして、この血圧計においては、手首に装着して上記操作スイッチ４を操作すれば、ポンプ１１が作動してカフ帯２内の阻血袋に空気を送り込んで阻血を行い、その後の徐々排気の際に血圧測定動作を行って測定結果を表示部３に表示するのであるが、この動作時、特に上記ポンプ１１の動作時には、蓄電池パック５の蓄電池５０から供給されるポンプ電圧Ｖが図６に示すようにポンプの動作時間Ｔの経過に伴って徐々に低下する上に、作動初期の電圧も図６中のイ〜ロに示すように蓄電池５０の消耗につれて低下する。この血圧計においては、ポンプ電圧Ｖが末期チェック電圧Ｖ１よりも低下する時間ｔを計測しており、該時間ｔが所定時間Ｔ１よりも大きくなれば図５に示すように表示部３に充電催促表示３５（点滅）を行って、数回の測定しか行えない状態であることを使用者に表示し、さらに該時間ｔが所定時間Ｔ２よりも大きくなれば電池交換表示（点灯）を表示部３に行って、蓄電池の充電を直ちに行う必要があることを知らせる。
【００１１】
蓄電池５０の充電は、本体１から蓄電池パック５を外して、図４に示すように充電器６に装着することで行う。なお、図示の充電器６はコンセントに差し込むための栓刃を起倒自在に備えたもので、蓄電池パック５を装着すれば、充電端子６０を通じて蓄電池５０の充電を行う。図中６１は充電中表示ランプ、６２はフック５２が係合する係合凹所である。
【００１２】
【発明の効果】
以上のように本発明においては、電池を電源としているとともに電池として蓄電池を用いていることから、使用場所を問わずに血圧測定を行うことができる上に、充電によって電池容量を回復させることができるために、電池として大容量のものを用いなくてもすむものであり、従って小型の電池であっても問題を招くことがなく、これに伴って全体の小型化を図ることができて携帯性も向上するものであり、手首に装着されて使用されるものなどにおいて、袖捲り等をしなくても装着することができるものを得ることができるほか、軽量化も可能となるために測定部位への負荷を軽減して安定した状態での測定ができ、測定状態による血圧値のばらつきがなくなって測定精度が向上することにもなる。さらには乾電池を用いる場合に比してリサイクルが可能となるために環境においての省資源化も図ることができる。また、蓄電池用の充電催促表示部を備えていることが使用回数の目安となって蓄電池管理の点で好ましく、この時の充電催促表示部は、ポンプ電圧が所定電圧よりも低下する時間が所定時間以上となる時に表示されるものであると、蓄電池管理をさらに適切に行うことができる。
【００１３】
蓄電池としてはニッケルカドミウム電池をコストの点で好適に用いることができる。
また、血圧測定結果の表示部に蓄電池用の充電催促表示部を備えていることが好ましい。
【００１４】
また、蓄電池はケースに納められた蓄電池パックとして設けられているとともに、該蓄電池パックはケースと一体に形成されるとともにケースに加えられる操作で撓んで係止を外すフックによって血圧計本体に着脱自在とされていると、蓄電池の着脱を簡便に行うことができる。
【図面の簡単な説明】
【図１】本発明の実施の形態の一例の斜視図である。
【図２】同上の本体の破断正面図である。
【図３】同上の破断側面図である。
【図４】同上の蓄電池パックと充電器の斜視図である。
【図５】同上の本体の表示部が充電催促表示を行っている状態を示す正面図である。
【図６】同上のポンプ電圧に関するタイムチャートである。
【符号の説明】
１  本体
２  カフ帯
５  蓄電池パック
【図１】
0003541634.tif 000002
【図２】
0003541634.tif 000003
【図３】
0003541634.tif 000004
【図４】
0003541634.tif 000005
【図５】
0003541634.tif 000006
【図６】
0003541634.tif 000007